(57)【要約】【課題】書込速度毎の記録品質のレベルを使用者に提示して、使用目的に多様に対応することが可能な光ディスク装置及び光ディスク装置の書込速度決定方法を提供することを目的とする。【解決手段】光ディスク７に対してレーザ光を照射して情報の記録を行う光ディスク装置において、使用される光ディスク７の種別毎に、書込可能な書込速度と、この書込速度で情報の書込を行うときの記録品質レベルとが記憶されたテーブルを格納するメモリ部１７を有する。メモリ部１７に格納された書込速度と記録品質レベルは表示手段によって表示され、使用者は使用目的に応じて記録品質を考慮して書込速度を選択できる。【選択図】図２
2005267764.tif 000002
【特許請求の範囲】
【請求項１】
光ディスクに対してレーザ光を照射して情報の記録を行う光ディスク装置において、使用される光ディスクの種別毎に、書込可能な書込速度と、この書込速度で情報の書込を行うときの記録品質レベルとが記憶されたテーブルを格納するメモリ部を有し、前記メモリ部に格納された前記書込速度と前記記録品質レベルとに基づいて使用者が選択した書込速度で情報の書込を行う手段を有することを特徴とする光ディスク装置。
【請求項２】
前記書込速度と前記記録品質レベルとが表示される表示部を有することを特徴とする請求項１記載の光ディスク装置。
【請求項３】
光ディスクに対してレーザ光を照射して情報の記録を行う光ディスク装置の書込速度決定方法において、使用される光ディスクの種別毎に記憶された、書込可能な書込速度と、この書込速度で情報の書込を行うときの記録品質レベルとに基づいて、使用者の選択により書込速度が決定されることを特徴とする光ディスク装置の書込速度決定方法。
【発明の詳細な説明】
【技術分野】
【０００１】
本発明は光ピックアップにより光ディスクに情報を記録する光ディスク装置に関する。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
図１に、スリムトレイタイプ光ディスク装置の外観図を示す。図１において、１はピックアップモジュール、２は光ピックアップ、３はスピンドルモータ、４はトレイ、５はトレイオープンボタン、６は筐体である。
【０００４】
ピックアップモジュール１はトレイ４部分に配置されて、前後に移動する構造となっており、光ディスク７の再生・記録を行う際には、光ディスク７をスピンドルモータ３に装着してトレイ４を押し入れる。トレイ４の内部には、トレイ４を筐体６にロックするためのソレノイドとマグネットによって構成されたロック機構が設けられている。トレイが押し入れられると、トレイクローズ検出スイッチ（図示せず）が閉じられることによってドライブが起動動作を開始する。
【０００５】
ここで、光ディスク装置の構成を図８を用いて説明する。
【０００６】
図８は従来の光ディスク装置のピックアップ制御部のブロック図である。図８において、１はピックアップモジュール、２は光ピックアップ、３はスピンドルモータ、７は光ディスク、８はキャリッジ、９はフィード部、１０はフィードモータ、１１はアナログ信号処理部、１２はサーボ処理部、１３はモータ駆動部、１４はディジタル信号処理部、１５はレーザ駆動部、１６はコントローラである。
【０００７】
以上のように構成された従来の技術におけるピックアップ制御部の動作について説明する。図８において、ピックアップモジュール１は、光ディスク７を回転させるスピンドルモータ３と、光ディスク７の情報信号を読み取るための光ピックアップ２と、光ピックアップ２が搭載されたキャリッジ８を光ディスク７の半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【０００８】
フォーカスエラー信号とは、光ピックアップ２に備えられた対物レンズ（図示せず）より出射される光ビームスポットと光ディスク７の記録面との焦点方向のずれを示す。トラッキングエラー信号とは、前記光ビームスポットと光ディスク７の情報トラックの光ディスク半径方向のずれを示す。また、アナログ信号処理部１１はトラッキングエラー信号の低域成分を取り出す事により、対物レンズとキャリッジ８との相対的な位置関係を示すレンズ位置信号を生成し、サーボ処理部１２に出力する。
【０００９】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて
対物レンズが概略中立位置を保持するようにフィード制御を行う。フィード部９はフィードモータ１０、ギヤ（図示せず）、スクリューシャフト（図示せず）等から構成され、フィードモータ１０を回転させることによってキャリッジ８が移動するようになっている。
【００１０】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００１１】
記録動作時は、ディジタル信号処理部１４によってホストから送られてきたデータを変調し、レーザ制御部によってレーザ駆動部１５を介して光ピックアップ４内のレーザ（図示せず）等の光源に所定の電流を供給し、光源を例えばパルス状に発光させ、光ディスク７の情報トラックに記録を行う。コントローラ１６はこのように構成されたサーボ部の全体のコントロールを行うものである。
【００１２】
光ディスク７に対して情報を書き込む際には、光ディスク装置が装着されたコンピュータにおいて書込ソフトが起動されて書込速度が決定される。この処理手順を図９に示す。
【００１３】
図９において、書込ソフトが起動される（Ｓ５１）と、光ディスク７の装着の有無が検出され（Ｓ５２）、光ディスク７が装着されている場合には書込可能な対応速度の問い合わせがなされ（Ｓ５３）、光ディスク７の種別に応じて対応速度が取得されて（Ｓ５４）、対応速度が画面上に表示される（Ｓ５５）。この対応速度の中から使用者は希望速度の選択をすることができ（Ｓ５６）、希望速度が選択されたときはその希望速度で書込がなされる（Ｓ５７）。また、希望速度が選択されなかったときは最高速度で書込がなされる（Ｓ５８）。
【００１４】
このようにして書込速度を使用者が選択することが可能であるが、使用者が選択した書込速度が必ずしも記録品質に優れた書込速度であるとは限らない。現在使用されている光ディスク装置においては、書込品質に関する情報は使用者には提供されていないのが通常である。
【００１５】
記録特性が最適となる書込速度を使用者に提示する機能を持たせた光ディスク装置が（特許文献１）に記載されている。
【特許文献１】特許第３２８４９８４号公報
【発明の開示】
【発明が解決しようとする課題】
【００１６】
使用者が光ディスク装置を使用するときに、書込速度が速いことを優先的に選択する場合がある一方で、記録品質を優先したい場合もある。このような場合に、（特許文献１）に記載された手法を用いると、記録品質を最適化することができるため、記録品質を最優先とする場合には有効であると考えられる。
【００１７】
しかし、情報の書込において使用者の要求は様々な場合があり、書込速度最優先の場合や記録品質最優先の場合ばかりでなく、書込速度と記録品質の両方のバランスを考慮して書込速度を決定したい場合もある。（特許文献１）に記載された手法では、このような要求に対して充分に応えることはできない。
【００１８】
本発明は、上記の課題を解決するためになされたもので、書込速度毎の記録品質のレベルを使用者に提示して、使用目的に多様に対応することが可能な光ディスク装置を提供することを目的とする。
【課題を解決するための手段】
【００１９】
本発明は、上記の課題を解決するためになされたもので、光ディスクに対してレーザ光を照射して情報の記録を行う光ディスク装置において、使用される光ディスクの種別毎に、書込可能な書込速度と、この書込速度で情報の書込を行うときの記録品質レベルとが記憶されたテーブルを格納するメモリ部を有し、前記メモリ部に格納された前記書込速度と前記記録品質レベルとに基づいて使用者が選択した書込速度で情報の書込を行う手段を有することを特徴とする光ディスク装置である。
【００２０】
ここで、記録品質レベルとは、光ディスクの種別毎に定められる書込可能な書込速度で情報の書込を行ったときに、各書込速度での記録品質のランク付けを表すものである。記録品質のランク付けは、例えば、各書込速度における記録品質を良質なものから順番付けしてランクを定めることもできるし、あるいはエラー発生率のような具体的な数値をもとに定めることもできる。
【００２１】
本発明の光ディスク装置では、書込可能な書込速度と、この書込速度で情報の書込を行うときの記録品質レベルとが記憶されたテーブルを格納するメモリ部を有していることにより、書込速度最優先の場合や記録品質最優先の場合ばかりでなく、書込速度と記録品質の両方のバランスを考慮して書込速度を決定することができるため、使用者の利用目的に応じて書込速度と記録品質とを多様に選択することが可能な光ディスク装置を実現することができる。
【発明の効果】
【００２２】
本発明によると、書込速度最優先の場合や記録品質最優先の場合ばかりでなく、書込速度と記録品質の両方のバランスを考慮して書込速度を決定することができるため、使用者の利用目的に応じて書込速度と記録品質とを多様に選択することができる。使用者は記録品質のレベルを選択できるため、高品質となる書込速度を選択したときには、光ディスク上に傷が発生してもエラー訂正がしやすく、経年劣化による記録品質の劣化を低減することができる。
【発明を実施するための最良の形態】
【００２３】
本願の第１の発明は、光ディスクに対してレーザ光を照射して情報の記録を行う光ディスク装置において、使用される光ディスクの種別毎に、書込可能な書込速度と、この書込速度で情報の書込を行うときの記録品質レベルとが記憶されたテーブルを格納するメモリ部を有し、前記メモリ部に格納された前記書込速度と前記記録品質レベルとに基づいて使用者が選択した書込速度で情報の書込を行う手段を有することを特徴とする光ディスク装置である。
【００２４】
書込可能な書込速度と、この書込速度で情報の書込を行うときの記録品質レベルとが記憶されたテーブルを格納するメモリ部を有していることにより、書込速度最優先の場合や記録品質最優先の場合ばかりでなく、書込速度と記録品質の両方のバランスを考慮して書込速度を決定することができるため、使用者の使用目的に応じて書込速度と記録品質とを多様に選択することが可能な光ディスク装置を実現することができる。
【００２５】
本願の第２の発明は、第１の発明において、前記書込速度と前記記録品質レベルとが表示される表示部を有することを特徴とする。
【００２６】
書込速度と記録品質レベルとが表示される表示部を有することにより、使用者は表示された書込速度と記録品質レベルとに基づいて、使用目的に応じた書込速度と記録品質レベルとを選択することができる。
【００２７】
本願の第３の発明は、光ディスクに対してレーザ光を照射して情報の記録を行う光ディスク装置の書込速度決定方法において、使用される光ディスクの種別毎に記憶された、書込可能な書込速度と、この書込速度で情報の書込を行うときの記録品質レベルとに基づいて、使用者の選択により書込速度が決定されることを特徴とする光ディスク装置の書込速度決定方法である。
【００２８】
書込可能な書込速度と、この書込速度で情報の書込を行うときの記録品質レベルとに基づいて、使用者の選択により書込速度が決定されるため、書込速度最優先の場合や記録品質最優先の場合ばかりでなく、書込速度と記録品質の両方のバランスを考慮して書込速度を決定することができるため、使用者の使用目的に応じて書込速度と記録品質とを多様に選択することができる。
【００２９】
以下、本発明の光ディスク装置をその実施の形態に基づいて説明する。
【００３０】
図１に、スリムトレイタイプ光ディスク装置の外観図を示す。図１において、１はピックアップモジュール、２は光ピックアップ、３はスピンドルモータ、４はトレイ、５はトレイオープンボタン、６は筐体である。
【００３１】
ピックアップモジュール１はトレイ４部分に配置されて、前後に移動する構造となっており、光ディスクの再生・記録を行う際には、光ディスクをスピンドルモータ３に装着してトレイ４を押し入れる。トレイ４の内部には、トレイ４を筐体６にロックするためのソレノイドとマグネットによって構成されたロック機構が設けられている。トレイが押し入れられると、トレイクローズ検出スイッチ（図示せず）が閉じられることによってドライブが起動動作を開始する。
【００３２】
本発明の実施の形態に係る光ディスク装置の構成を図２を用いて説明する。
【００３３】
図２は実施の形態光ディスク装置のピックアップ制御部のブロック図である。図２において、１はピックアップモジュール、２は光ピックアップ、３はスピンドルモータ、７は光ディスク、８はキャリッジ、９はフィード部、１０はフィードモータ、１１はアナログ信号処理部、１２はサーボ処理部、１３はモータ駆動部、１４はディジタル信号処理部、１５はレーザ駆動部、１６はコントローラである。
【００３４】
以上のように構成されたピックアップ制御部の動作について説明する。図２において、ピックアップモジュール１は、光ディスク７を回転させるスピンドルモータ３と、光ディスク７の情報信号を読み取るための光ピックアップ２と、光ピックアップ２が搭載されたキャリッジ８を光ディスクの半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【００３５】
アナログ信号処理部１１はトラッキングエラー信号の低域成分を取り出す事により、対物レンズとキャリッジ８との相対的な位置関係を示すレンズ位置信号を生成し、サーボ処理部１２に出力する。
【００３６】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて対物レンズが概略中立位置を保持するようにフィード制御を行う。フィード部９はフィー
ドモータ１０、ギヤ（図示せず）、スクリューシャフト（図示せず）等から構成され、フィードモータ１０を回転させることによってキャリッジ８が移動するようになっている。
【００３７】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００３８】
記録動作時は、ディジタル信号処理部１４によってホストから送られてきたデータを変調し、レーザ制御部によってレーザ駆動部１５を介して光ピックアップ２内のレーザ（図示せず）等の光源に所定の電流を供給し、光源を例えばパルス状に発光させ、光ディスク７の情報トラックに記録を行う。コントローラ１６はこのように構成されたサーボ部の全体のコントロールを行うものである。１７はメモリ部であり、以下に説明する、メディア毎に書込速度によって定まる記録品質についてのテーブルを記憶するものである。
【００３９】
図３は、光ディスク装置が装着されたコンピュータにおいて書込ソフトが起動されて書込速度が決定されるときの処理手順を示す図である。
【００４０】
図３において、書込ソフトが起動される（Ｓ１）と、光ディスクの装着の有無が検出され（Ｓ２）、光ディスクが装着されている場合には書込可能な対応速度の問い合わせがなされ（Ｓ３）、光ディスクの種別に応じて対応速度と推奨速度が取得されて（Ｓ４）、対応速度と推奨速度が画面上に表示される（Ｓ５）。ここで、推奨速度とは記録品質に優れた書込速度のことをいう。使用者は提示された推奨速度を選択するかどうかを判断することができ（Ｓ６）、推奨速度が選択されたときはその推奨速度で書込がなされるため、高品質の書込が可能となる（Ｓ７）。また、推奨速度が選択されず、対応速度のうちで推奨速度以外の、使用者が希望する速度である希望速度が選択される（Ｓ８）と、その希望速度で書込がなされる（Ｓ９）。希望速度が選択されなかったときは最高速度で書込がなされる（Ｓ１０）。
【００４１】
図４に、光ディスクドライブ側の動作を示す。書込動作が開始されると（Ｓ１１）、対応速度の問い合わせの有無が判断され（Ｓ１２）、対応速度の問い合わせがなされたときには、対応速度、推奨速度が返信される（Ｓ１３）。その後、コンピュータからの書込速度の受信の有無が判断され（Ｓ１４）、書込速度が受信されるとその書込速度が設定され（Ｓ１５）、書込コマンド受信の有無が判断されて（Ｓ１６）、書込コマンドが受信されると書込がなされる（Ｓ１７）。書込コマンドが受信されないときは、再度書込コマンド受信の有無が判断されて（Ｓ１６）、書込コマンドの受信を待って書込がなされる。
【００４２】
対応速度の問い合わせの有無の判断（Ｓ１２）において、対応速度の問い合わせがない場合には、書込コマンド受信の有無が判断され（Ｓ１８）、書込コマンドが受信されると最高書込速度に書込速度が設定されて（Ｓ２０）、最高速度で書込がなされる（Ｓ１７）。書込コマンド受信の有無の判断（Ｓ１８）において、書込コマンドが受信されないときは、再度対応速度の問い合わせの有無を判断する（Ｓ１２）。
【００４３】
書込速度の受信の有無の判断（Ｓ１４）において、書込速度が受信されないときは、書込コマンド受信の有無が判断され（Ｓ１９）、書込コマンドが受信されると、最高書込速度に書込速度が設定されて（Ｓ２０）、最高速度で書込がなされる（Ｓ１７）。書込コマンドが受信されないときは、再度書込速度の受信の有無を判断する（Ｓ１４）。
【００４４】
以上の処理は、図２に示すメモリ部１７に記憶された書込品質についてのテーブルを参照しながら、コントローラ１６によってなされる。
【００４５】
従来の光ディスク装置における動作においては、推奨速度は返信されず、対応速度のみが返信されていたため、使用者はどの書込速度が高品質な書込が可能な書込速度であるかについての情報が提示されなかったのに対して、上記の動作手順においては、推奨速度が返信されるため、高品質な書込が可能な書込速度を選択することができる。また、使用者は推奨速度を選択せずに、書込速度と記録品質のバランスを考慮して他の書込速度を希望速度として選択することができる。また、推奨速度、希望速度のいずれも選択されない場合には、最高速な書込速度が選択されたものとみなすため、この場合には最高速な書込が保証される。
【００４６】
図５は、図２に示すメモリ部１７において記憶されるテーブルの一例を示す。図５（ａ）は、記録品質に関する情報を提示しない従来の光ディスク装置でのテーブルであり、図５（ｂ）は、記録品質に関する情報を提示する本発明の光ディスク装置でのテーブルである。
【００４７】
図５（ａ）における○は書込可能な対応速度であることを意味し、×は対応速度でないことを意味する。いずれの書込速度が対応速度であるかは、書込対象となるメディア、すなわち光ディスク７の種別によって異なる。例えば、メディア１では、高速書込速度である１６倍速、２４倍速以外の書込速度が対応速度であるのに対して、メディア２では最低速書込速度である４倍速以外の書込速度が対応速度となっている。また、メディア３では最低速書込速度である４倍速と、最高書込速度である２４倍速以外の書込速度が対応速度となっている。
【００４８】
図５（ｂ）に示すテーブルは、各対応速度について記録品質のランクが付帯して記憶されるようにしたものである。これによって、メディア毎に、いずれの対応速度において高品質で記録できるかの情報を提示することができる。ランク１のものを最も高品質であるとすれば、ランク１の書込速度が推奨速度となる。この情報が提示されることによって、使用者は書込速度を最優先とするか、記録品質を最優先とするか、書込速度と記録品質のバランスを優先するかを選択することができる。例えば、メディア２については、書込速度を最優先とするときには２４倍速を選択するが、記録品質を最優先とする場合には１６倍速を選択する。その他、使用目的に応じて８倍速、１２倍速を選択することもできる。
【００４９】
記録品質のランク付けは、例えば、各書込速度における記録品質を良質なものから順番付けしてランクを定めることもできるし、あるいはエラー発生率の具体的な数値をもとに定めることもできる。ＣＤについては、規格書であるレッドブックにおいて品質規格として、１秒間でのＣ１エラーの発生個数を３×１０-2以下（２２０ｃｐｓ以下）とすることが定められており、これ以下のエラー発生率であれば記録品質は良好であると考えられる。従って、例えば、１５０ｃｐｓ以下をレベル１、１８０ｃｐｓ以下をレベル２、２００ｃｐｓ以下をレベル３、２２０ｃｐｓ以下をレベル４、それ以上のエラー発生率の場合をレベル５とランク付けすることができる。
【００５０】
図６は、使用者が書込速度を選択する際に用いられるコンピュータの表示画面の一例を示す。この例では、書込が可能な対応速度として、４倍速、８倍速、１６倍速が示され、それぞれの書込速度での記録品質のランクが、４倍速ではレベル２、８倍速ではレベル１、１６倍速ではレベル３のように、括弧内の数値によって表示される。
【００５１】
使用者は、この表示画面を見て、記録品質を優先するか、書込速度を優先するか、あるいは記録品質と書込速度の両方のバランスを考慮するかによって、書込速度を選択することができる。また、図６に示す「品質最優先書込」のボタン備えることによって、書込速度の如何に関わらず品質が最も優れた書込速度で書き込むことができる。この場合には、装着されるメディアの種別によらずに「品質最優先書込」が選択されるため、光ディスク
が未装着の場合でも品質優先の選択ができる。
【００５２】
図７に、本発明の光ディスク装置における書込速度の推移と、従来の光ディスク装置における書込速度の推移とを比較して示す。図７（ａ）はＣＡＶ（Constant Angular Velocity）記録方式の場合であり、図７（ｂ）はＺＣＬＶ（Zone Constant Linear Velocity）記録方式の場合である。
【００５３】
いずれの場合も、書込位置が光ディスクの内周側では書込速度が遅く、外周側に行くほど書込速度が速くなり、最外周では最高速度で書き込まれるのが通常であるが、本発明の光ディスク装置においては、記録品質を考慮して書込速度が選択されると、図７（ａ）に示すＣＡＶ記録方式の場合には、選択された書込速度に達するまではリニアに書込速度が増大し、選択された書込速度に達するとその書込速度が維持されて光ディスクの外周側まで書込が行われる。また、図７（ｂ）に示すＺＣＬＶ記録方式の場合には、選択された書込速度に達するまでは段階的に書込速度が増大し、選択された書込速度に達するとその書込速度が維持されて光ディスクの外周側まで書込が行われる。
【産業上の利用可能性】
【００５４】
本発明は光ピックアップにより光ディスクに情報を記録する光ディスク装置として利用することができ、使用目的に応じて情報の書込速度と記録品質を多様に選択することが可能な光ディスク装置を実現することができる。
【図面の簡単な説明】
【００５５】
【図１】スリムトレイタイプ光ディスク装置の外観図
【図２】本発明の実施の形態に係る光ディスク装置のピックアップ制御部のブロック図
【図３】光ディスク装置が装着されたコンピュータにおいて書込ソフトが起動されて書込速度が決定されるときの処理手順を示す図
【図４】本発明の実施の形態に係る光ディスク装置において、光ディスクドライブ側の動作を示す図
【図５】本発明の実施の形態に係る光ディスク装置において、メモリ部に格納されるテーブルの一例を示す図
【図６】使用者が書込速度を選択する際に用いられるコンピュータの表示画面の一例を示す図
【図７】本発明の光ディスク装置における書込速度の推移と、従来の光ディスク装置における書込速度の推移とを比較して示す図
【図８】従来の光ディスク装置のピックアップ制御部のブロック図
【図９】従来の光ディスク装置が装着されたコンピュータにおいて書込ソフトが起動されて書込速度が決定されるときの処理手順を示す図
【符号の説明】
【００５６】
１    ピックアップモジュール
２    光ピックアップ
３    スピンドルモータ
４    トレイ
５    トレイオープンボタン
６    筐体
７    光ディスク
８    キャリッジ
９    フィード部
１０    フィードモータ
１１    アナログ信号処理部
１２    サーボ処理部
１３    モータ駆動部
１４    ディジタル信号処理部
１５    レーザ駆動部
１６    コントローラ
１７    メモリ部
【図１】
2005267764.tif 000003
【図２】
2005267764.tif 000004
【図３】
2005267764.tif 000005
【図４】
2005267764.tif 000006
【図５】
2005267764.tif 000007
【図６】
2005267764.tif 000008
【図７】
2005267764.tif 000009
【図８】
2005267764.tif 000010
【図９】
2005267764.tif 000011